(57)【要約】      （修正有）【課題】容易かつ迅速に組立ておよび解体することが可能なエレベータの作業足場装置およびその組立解体方法を提供する。【解決手段】複数の球状強化発泡スチロール３を昇降路底部１１から最下階乗場２床面近傍までの空間に埋設し、その上面にコンクリートパネル４、鋼板５を敷設するように構成したため、容易かつ迅速に作業足場装置の組立てを行うことができ、前記コンクリートパネル４、鋼板５を撤去後、前記球状強化発泡スチロール３を吸引することにより取り除くようにしたため、容易かつ迅速に作業足場装置の解体を行うことができる。【選択図】図３
2006176317.tif 000002
【特許請求の範囲】
【請求項１】
乗かごが昇降する昇降路底部に設けられるエレベータの作業足場装置において、
前記昇降路底部から最下階乗場床面近傍までの空間に埋設される複数の球状体と、これら複数の球状体の最上部に形成された最上面に敷設される板状の作業床とから構成したことを特徴とするエレベータの作業足場装置。
【請求項２】
請求項１に記載のエレベータの作業足場装置において、前記球状体は強化発泡スチロールで形成したことを特徴とするエレベータの作業足場装置。
【請求項３】
乗かごが乗降する昇降路底部に設けられるエレベータの作業足場装置の組立解体方法において、複数の球状体で昇降路底部から最下階乗場床面近傍までの空間を埋設する手順と、これら複数の球状体の最上部に形成された最上面に板状の作業床を敷設する手順と、前記作業床を撤去後前記球状体を吸引することにより取り除く手順とから成るエレベータの作業足場装置の組立解体方法。
【発明の詳細な説明】
【技術分野】
【０００１】
本発明は、エレベータの作業足場装置およびその組立解体方法に関する。
【背景技術】
【０００２】
従来では、エレベータの据付時には、乗かごの組立てもしくは昇降路内機器の揚重作業に使用するための作業足場装置を昇降路底部から組上げていた（特許文献１参照）。
【特許文献１】特開平０５−１４７８５９号公報（図１）
【発明の開示】
【発明が解決しようとする課題】
【０００３】
しかし、前記特許文献１に記載の従来技術によれば、多数の締結具を締結する作業や、多数の柱材、床材を運搬する煩雑な作業が必要であり、作業足場装置の組立ておよび解体の作業効率が悪く、エレベータの据付作業全体を遅延させる要因となっていた。
【０００４】
本発明は、この不都合を鑑みてなされたもので、その目的は、容易かつ迅速に組立ておよび解体することが可能なエレベータの作業足場装置およびその組立解体方法を提供するにある。
【課題を解決するための手段】
【０００５】
本発明は、上記目的を達成するために乗かごが昇降する昇降路底部に設けられるエレベータの作業足場装置において、前記昇降路底部から最下階乗場床面近傍までの空間に埋設される複数の球状体と、これら複数の球状体の最上部に形成された最上面に敷設される板状の作業床とから構成したことを特徴とする。
【０００６】
本発明によれば、上記の通り、前記複数の球状体を前記昇降路底部から最下階乗場床面近傍までの空間に埋設し、その上面に作業床を敷設するように構成したため、容易かつ迅速に作業足場装置の組立てを行うことができる。
【０００７】
また本発明によれば、前記作業床を撤去後、前記球状体を吸引することにより取り除くようにしたため、容易かつ迅速に作業足場装置の解体を行うことができる。
【発明の効果】
【０００８】
本発明のエレベータの作業足場装置およびその組立解体方法によれば、作業足場装置を容易かつ迅速に組立ておよび解体することが可能である。
【発明を実施するための最良の形態】
【０００９】
以下、本発明に係るエレベータの作業足場装置およびその組立解体方法の実施形態を図面に基づいて説明する。
【００１０】
まず、本発明であるエレベータの作業足場装置の構成について説明する。
【００１１】
図２に示すように、エレベータの作業足場装置は、球状強化発泡スチロール３とコンクリートパネル４と鋼板５から構成されている。
【００１２】
また、昇降路底部１１より球状強化発泡スチロール３、コンクリートパネル４、鋼板５の順序で敷設されている。ここで、鋼板５の板厚を増すことが出来れば、コンクリートパネル４を敷設しなくても良い。
【００１３】
この時、鋼板５の最上面と最下階乗場２の床面とは段差が無く円滑に台車６に搭載した重量物７が水平移動できる状態である。
【００１４】
また、図３に示すように作業足場装置床面から重量物７を揚重する手段として、昇降路最上部１０の天井に揚重機９を設置し、重量物７を揚重する。
【００１５】
次に、エレベータの作業足場装置を使用した組立、揚重、解体作業の流れを順に説明する。
【００１６】
まず、図２に示すように球状の強化発泡スチロール３を昇降路底部１１に充填敷設（埋設）し、前記球状強化発泡スチロール３最上部に形成された最上面にコンクリートパネル４、鋼板５の順序で敷設し、最下階乗場２の床面に合せる。
【００１７】
次に、図３に示すように重量物７を台車６に搭載し、作業足場装置床面へ水平移動させ、揚重機９を用い、昇降路１を通過させ、昇降路上部へ揚重する。
【００１８】
揚重終了後は、図４に示すように鋼板５、コンクリートパネル４を取り除き、吸引機８を昇降路乗場２より昇降路底部１１付近へ設置し、球状強化発泡スチロール３を吸引することで、昇降路底部を図５に示すように昇降路底部１１の状態を図１の状態へ復帰する。
【００１９】
以上のように、本発明のエレベータの作業足場装置およびその組立解体方法を用いれば、作業足場装置を容易かつ迅速に組立ておよび解体することが可能である。
【００２０】
また、従来の単管パイプを使用した作業足場では、開口があるため墜落、落下等の危険性があるが、本発明によれば開口を形成しないため、事故を未然に防止し、安全面の向上が図れる。
【００２１】
本発明によれば、上記の通り、前記複数の球状強化発泡スチロール３にて前記昇降路底部１１から最下階乗場２床面近傍までの空間に埋設し、その上面に作業床としてコンクリートパネル４、鋼板５を敷設するように構成したため、煩雑な締結作業等を要することなく容易かつ迅速に作業足場装置の組立てを行うことができる。
【００２２】
また本発明によれば、前記作業床（コンクリートパネル４、鋼板５）を撤去後、前記球状強化発泡スチロール３を吸引することにより取り除くようにしたため、容易かつ迅速に作業足場装置の解体を行うことができる。
【図面の簡単な説明】
【００２３】
【図１】本発明の一実施の形態であるエレベータ昇降路の一例を示す側面図。
【図２】本発明の一実施の形態であるエレベータの作業足場装置を組立てした側面図。
【図３】本発明の一実施の形態であるエレベータの作業足場装置床面を重量物が水平移動した状態を示す側面図。
【図４】本発明の一実施の形態であるエレベータの作業足場装置の球状強化発泡スチロールを吸引している側面図。
【図５】本発明の一実施の形態であるエレベータの作業足場装置を解体した側面図である。
【符号の説明】
【００２４】
１  昇降路
２  最下階乗場
３  球状強化発泡スチロール
４  コンクリートパネル
５  鋼板
６  台車
７  重量物
８  吸引機
９  揚重機
１０  昇降路上部
１１  昇降路底部
【図１】
2006176317.tif 000003
【図２】
2006176317.tif 000004
【図３】
2006176317.tif 000005
【図４】
2006176317.tif 000006
【図５】
2006176317.tif 000007